(57)【要約】 【課題】ハンドル操作により、容易にかつ短時間にドアを開くことができること。【解決手段】ドアに取付けられる錠前と、ドアの壁面に取付けられる取付け座と、該取付け座にハンドル回転軸が挿入されるハンドルとの組み合わせから成り、前記ハンドルを操作すると、前記取付け座に内装された動力伝達機構及び錠前の施・解錠機構をそれぞれ介して錠前の施錠片を後退動させた状態でドアを開くドアの開閉装置であって、前記取付け座の動力伝達機構は歯車列で構成され、前記ハンドルの操作力は、駆動歯車部材に設けられた連結棒を介して錠前の施・解錠機構を構成する伝動歯車に伝わることを特徴とするドアの開閉装置。【選択図】図３
2007205056.tif 000002
【特許請求の範囲】
【請求項１】
ドアに取付けられる錠前と、ドアの壁面に取付けられる取付け座と、該取付け座にハンドル回転軸が挿入されるハンドルとの組み合わせから成り、前記ハンドルを操作すると、前記取付け座に内装された動力伝達機構及び錠前の施・解錠機構をそれぞれ介して錠前の施錠片を後退動させた状態でドアを開くドアの開閉装置であって、前記取付け座の動力伝達機構は歯車列で構成され、前記ハンドルの操作力は、駆動歯車部材に設けられた連結棒を介して錠前の施・解錠機構を構成する伝動歯車部材に伝わることを特徴とするドアの開閉装置。
【請求項２】
請求項１に於いて、錠前は鎌錠であり、ハンドル操作による解錠の際には、位置が錠箱内に後退変位しているトリガー部材７の押圧片がラック部材の後退動に基づき、初期位置に復帰するカマ作動障害部材に押されて回転することを特徴とするドアの開閉装置。
【請求項３】
請求項１又は請求項２に於いて、錠前の施・解錠機構は、錠前の伝動歯車に噛合するラック部材と、該ラック部材が所定の位置まで後退動すると、障害片用のバネのバネ力により回転して該ラック部材の移動を阻止するカマ作動障害部材を備えていることを特徴とするドアの開閉装置。
【請求項４】
請求項１に於いて、ハンドルの握り部分は、常態では下方に向いていると共に、ドアは引戸であることを特徴とするドアの開閉装置。
【請求項５】
請求項１に於いて、錠前は、次の構成から成る自動施錠機構を備えていること、（Ａ）引戸の閉戸時に後退変位するトリガー部材７と、該トリガー部材の後退力によって作動する動力伝達手段３１と、該動力伝達手段と連係され、かつ、施錠方向に自動的に回転するカマ４０とを備える鎌錠の自動施錠機構であって、（Ｂ）前記トリガー部材と動力伝達手段との間にカマ作動障害部材２１を配設し、（Ｃ）該カマ作動障害部材は、錠箱に軸支され、かつ、前記トリガー部材の後端部の可動軸に軸支された押圧片１０と係脱する第１係合片２４と、この第１係合片２４の一端部に設けられ、かつ、前記動力伝達手段と係脱する障害子２５とから成り、（Ｄ）該カマ作動障害部材２１は、前記押圧片が所定位置まで後退動することを条件として、動力伝達手段の作動を許容する方向へ回転することを特徴とするドアの開閉装置。
【発明の詳細な説明】
【技術分野】
【０００１】
本発明は、ハンドルを操作すると、建具の水平方向に回転する開閉扉、水平方向にスライドする引戸などのドアに取付けられた錠前の施錠片（ラッチを除く）が解錠状態となり、そのままの状態でドアを開くことができるドアの開閉装置に関する。
【背景技術】
【０００２】
この種のドアの開閉装置の一例は、特許文献１に記載されている。特許文献１に記載のドアの開閉装置は、ドアに取付けられた施・解錠機構を有する錠前と、ドアの壁面に取付けられた取付け座と、該取付け座にハンドル回転軸が挿入されるハンドルとの組み合わせから成り、前記ハンドルを操作すると、前記取付け座に内装された動力伝達機構及び前記錠前の解錠機構をそれぞれ介して錠前の施錠片（ラッチを除く）を後退動させた状態でドアを開くことができる。
【０００３】
しかして、前記取付け座に内装された動力伝達機構は、例えばハンドル回転軸と共に回転する大きい円盤と、複数本のリンクを介して回転し、かつ、錠前の開閉カムに連結された錠カム軸を回転させる小円盤とから構成されている（特許文献１の図５、段落００２２）。また、特許文献１には、前記動力伝達機構は、ハンドル回転軸と共に回転する大きい歯車と、該大きい歯車に直接噛合する小さい歯車で構成しても良い旨が記載されている（図６、００２６）。
【０００４】
このように、ハンドル取付け座に動力伝達機構を内装し、例えば平面視Ｌ字形状のレバーハンドルを操作した状態で前記動力伝達機構及び錠前の錠箱（又はブラケット）に内装された解錠機構で施錠片（閂）を解錠することは公知事項であるが、現在、引戸錠等の錠前の施・解錠機構に対応して、かつ、バリアフリーの観点（簡単な操作でドアを容易に開くことができること）から、ハンドル取付け座に納める動力伝達機構や該動力伝達機構に連動する錠前側の解錠機構をもっと合理的な構成に改良することが望まれている。
【特許文献１】特許公開２００１−２００６６７
【発明の開示】
【発明が解決しようとする課題】
【０００５】
本発明の目的は、ハンドル操作により、容易にかつ短時間にドアを開くことができること。具板的には、デッドボルト又はカマを有する引戸錠等の鎌錠の施・解錠機構に対応して、かつ、バリアフリーの観点（簡単な操作でドアを容易に開くことができること）から、ハンドル取付け座に納める動力伝達機構や該動力伝達機構に連動する鎌錠側の解錠機構をもっと合理的な構成に改良することである。
【課題を解決するための手段】
【０００６】
本発明のドアの開閉装置は、ドアに取付けられる錠前と、ドアの壁面に取付けられる取付け座と、該取付け座にハンドル回転軸が挿入されるハンドルとの組み合わせから成り、前記ハンドルを操作すると、前記取付け座に内装された動力伝達機構及び錠前の施・解錠機構をそれぞれ介して錠前の施錠片を後退動させた状態でドアを開くドアの開閉装置であって、前記取付け座の動力伝達機構は歯車列で構成され、前記ハンドルの操作力は、駆動歯車部材に設けられた連結棒を介して錠前の施・解錠機構を構成する伝動歯車部材に伝わることを特徴とする。
【発明の効果】
【０００７】
次に列挙するような効果を得ることができる。
（１）請求項１に記載の発明は、取付け座の内部に設けた動力伝達機構を歯車列にし、該歯車列の動力を、連結棒を介して錠前側の施・解錠機構の伝動歯車に伝え、しかも、デッドボルト又はカマを解錠方向へ動かすための操作力を「摘み方式のサムターン」ではなく、「握り方式のレバーハンドル」にしたので、簡単な操作により、錠前を解錠状態にしながら、ドアを容易に開くことができる。また、動力伝達機構の歯車列の中に遊び歯車が存在するので、普通一般のハンドル操作と同様に、単にレバーハンドルの握り部分を操作するだけで良い（例えば握り部分を所定量引き上げる）。さらに、ハンドル回転軸の位置に重ならないよう歯車列及び連結棒を介して施・解錠機構の伝動歯車にレバーハンドルの操作力を伝えるので、レバーハンドルとは別個に既製のサムターンユニットを錠箱に取付けることもできる（サムターンとレバーハンドルの併用）。つまり、容易にかつ短時間にドアを開くことができる。
（２）請求項２ないし請求項４に記載の発明は、引戸に取付けられかつ自動施錠機構を備えた鎌錠に適用することから、レバーハンドルの握り部分を操作するだけで、鎌錠の解錠ないし引戸を開く操作を一連的に行うことができる。また、レバーハンドルの操作性が良い。
（３）カマ作動障害部材は、前記押圧片が所定位置まで後退動することを条件として、動力伝達手段の作動を許容する方向へ回転することから、カマが不用意に施錠方向に回転してストライクに衝突する可能性を回避することができる。
【発明を実施するための最良の形態】
【０００８】
以下、図１乃至図１２に示す本発明を実施するための最良の形態により説明する。
【０００９】
（１）発明の主たる環境部材
図１は、ドア（本実施例では引戸）Ｙの内壁（室内）から見た説明図である。説明の便宜上、図１を正面図として取り扱う。図２は、レバーハンドル（以下、「ハンドル」という。）５１の初期位置（ハンドルの下方を指向する握り部分の一部を省略）における取付け座５２内の動力伝達機構５３を左側面側から見た説明図である。
したがって、５４は引戸Ｙの内壁であり、前記取付け座５２は、上下部にそれぞれ形成された貫通孔５５及び該貫通孔５５にそれぞれ挿通される複数本の固着具（図示しない）を介して内壁５４に固定される。
【００１０】
それ故に、取付け座５２は、引戸Ｙの戸先に内装された錠前５０の錠箱３に対して、引戸Ｙの内壁５４を介して添設されることになり、図２で示すハンドル５１は、Ｌ字形状の内側ハンドルに相当する。
【００１１】
周知のように普通一般の内側ハンドル５１は、ハンドル回転軸５６を有する軸部５１ａと、該軸部５１ａに直交方向に連設する握り部分５１ｂとから成る。本実施例のハンドル５１及びハンドル回転軸５６は、例えば取付け座５２の上方に位置する既製のサムターンユニット５７とは全く別個・独立の部材である。
【００１２】
付言すると、ハンドル５１の握り部分５１ｂを斜めの状態になるように引き上げると、該ハンドル５１の操作力は、取付け座５２に内装された動力伝達機構５３及び錠前５０の施・解錠機構（特に解錠機構）をそれぞれ介して錠前の施錠片（本実施例ではカマ）４０を後退動させる。
【００１３】
したがって、本発明のドアの開閉装置は、ドアＹに取付けられる錠前５０と、ドアの壁面５４に取付けられる取付け座５２と、該取付け座にハンドル回転軸５６が挿入されるハンドル５１との組み合わせから成り、前記ハンドル５１を操作すると、前記取付け座５２に内装された動力伝達機構５３及び錠前５０の解錠機構をそれぞれ介して錠前５０の施錠片４０を後退動させた状態でドアを開く。
【００１４】
（２）取付け座の動力伝達機構
図２乃至図４を参照にして、取付け座の動力伝達機構５３を説明する。なお、本実施例の取付け座５２は、長座であるが、該長座の細部的事項の説明は割愛する。
【００１５】
まず、６１はハンドル回転軸５６の挿入内端部用の断面正方形の角軸孔６２を有する伝動歯車部材である。この伝動歯車部材６１は、ハンドル回転軸５６が前記角軸孔６２に嵌合することから、ハンドル５１を操作すると、ハンドル回転軸５６と共に回転する。
【００１６】
図３を基準にすると、伝動歯車部材６１は、取付け座５２の中心部寄りの位置に所定の範囲内で回転できるように組み込まれている。すなわち、６３は円形状伝動歯車部材６１の外周下位に所定量切欠された切欠部分で、該切欠部分６３内には、取付け座５２の下方貫通孔５５を形成する受け突起が位置している。受け突起は、伝動歯車部材６１に対してストッパーの役割を果たす。
【００１７】
また、６４は切欠部分６３とは反対側の部位（外周上位）に形成された伝動ギヤー部で、該伝動ギヤー部はハンドル回転軸５６の回り方向に所要量形成されている。
６５はハンドル回転軸５６の挿入端部に巻装されたハンドル用の復帰バネで、該復帰バネの交差状両端部は、前述した受け突起側に食み出ている。
【００１８】
６６は伝動歯車部材６１の伝動ギヤー部６４に噛合する遊び歯車である。歯車列を形成する遊び歯車６６の歯車比は、ハンドル５１の操作力を増やすように適宜に設定されている。遊び歯車６６は、操作力を増殖するのみならず、取付け座５２の上部に組み込まれた駆動歯車部材６７の間に介在し、駆動歯車部材６７の回転方向を伝動歯車部材６１と同方向にさせる機能を果たしている。
【００１９】
取付け座側の駆動歯車部材６１は、中心部（軸受け部）６７ａから半径外方向に扇形状に広がる連結部分６７ｂを有し、この連結部分６７ｂの両端部には、取付け孔６８がそれぞれ形成されている。本実施例では、前記取付け孔６８に一つに、例えばピン状の連結棒６９の外端部が差込み固定される。
【００２０】
しかして、前記連結棒６９の内端部は、後述する錠前５０の施・解錠機構を構成する伝動歯車部材３４の一つに直接または間接的（本実施例では手前側の歯車に連動する裏側の係合回転板の一つ）に連結されており、ハンドル５１の操作力は、駆動歯車部材６７に設けられた連結棒６９を介して前記伝動歯車部材３４に伝えられる。なお、取付け座の動力伝達機構５３の作用については割愛する。
【００２１】
（３）本発明の適用対象の錠前
本発明は、図５乃至図１１に示すような錠前（例えば引戸用鎌錠）５０に適用するのが最適である。
【００２２】
まず、図５を参照にして、錠前５０に用いられる錠箱の構造を簡単に説明する。まず、３は錠箱、４フロント板、５はカマ用開口、６はトリガー部材用開口である。
次に、番号が飛ぶが、錠箱３には幾つかの軸等が設けられている。１９は第１固定軸、２２は第２固定軸、２７はバネ受けピン、３６は伝動歯車部材用の一芯軸、４７はカマ軸である。
【００２３】
次に、錠箱３には幾つかの切欠部分があり、下から順番に説明すると、４５はトリガー部材用の水平案内部分、４６はカマ作動障害部材の障害子を案内する垂直案内部分、４８はラック部材用の水平案内部分、７１は本発明の動力連結手段としての連結棒６９を案内する弧状案内部分、そして、４９は操作部材（キー、サムターンなど）の操作力で作動する駆動手段（シリンダー、ダルマ等）を取付けるための嵌合孔である。
【００２４】
（４）錠前の新規構成
図６は、戸枠体Ｘに対して、引戸Ｙを矢印Ａ方向に閉める際に、引戸Ｙ側のトリガー部材７の先端面１２が、戸枠体Ｘのストライク１に当たり始めた状態（ここでは「第１段階」という。）を示す。この第１段階では、指状のトリガー共働片（係止片）１８がＯＮの状態である。ここで「ＯＮの状態」とは、トリガー共働片１８の係合端部１８ａがカマ４０の先端部４０ｂの外周に形成した被係合部（切欠溝）４１に係合しており、キー、サムターン等の図示しない外部操作手段の操作力により、カマ４０を少なくとも完全施錠方向へ動かすことができない状態をいう。それ故に、閉戸時に於いて、不用意にカマ４０が施錠方向に回転してストライク１の外面に衝突する事態を回避できる。
【００２５】
まず、Ｘは建具の戸枠体、Ｙは引戸、Ｚは鎌錠の自動施錠機構である。鎌錠の自動施錠機構Ｚは、引戸Ｙを閉める時に、戸枠体Ｘにトリガー部材７の先端面１２が当たること前提として、トリガー部材７が後退動し始めると、トリガー部材７に交差状に係合するトリガー共働片１８が倒れるように回転してカマ４０から離れ、次いで、引戸Ｙの閉める量に対応してトリガー部材７がさらに錠箱３内に後退動すると、ラック３２の移動を阻止しているカマ作動障害部材２１が、トリガー部材７を構成する押圧片１０の後端部に押されて係止を解消する方向へ回転する。
【００２６】
本実施例では、カマ作動障害部材２１は「二物品」で構成され、第１係合片２４の先端部に設けられたブロック状の障害子２５の位置が変位（例えば下降）する。その結果、前記ラック３２が付勢バネ３３のバネ力でフロント板４側へ移動し始め、他の伝動歯車部材３４，３５が作動する点に特徴がある。
【００２７】
そこで、図６を参照にして、主な構成部材を説明する。１は受け金具のストライク、２はストライク１のカマ用係入孔、３は引戸の戸先側に固定された錠箱、４はフロント板、５はフロント板に形成されたカマ用開口、６はトリガー部材用開口、７は引戸Ｙの閉戸時に戸枠体Ｘ側に押されて後退変位するトリガー部材、３１は該トリガー部材７の後退力によって作動する動力伝達手段、４０は該動力伝達手段３１の歯車３５と連係され、かつ、施錠方向に自動的に回転するカマである。錠箱３、動力伝達手段３１及びカマ４０の具体的構成については後述する。
【００２８】
（５）トリガー部材７
トリガー部材７は、図７で示すように、トリガー本体８と、該トリガー本体８の後端部に可動軸９を介して軸支されたカマ作動障害部材用押圧片１０と、前記可動軸９に巻装された押圧片用バネ１１とから成る。
【００２９】
トリガー部材７のトリガー本体８は、フロント板４の開口６から突出する先端部８ａと、該先端部８ａに連設する中間部８ｂと、該中間部８ｂに連設する後端部（支持部）８ｃに区分することができる。
【００３０】
しかして、前記先端部８ａの山形状先端面１２は、第１段階ではストライク１の前面に当たる。また、前記中間部８ｂには、トリガー共働片用の開口１３が形成されている。さらに、前記後端部８ｃには、可動軸９用の軸孔１４や切欠状支持部分１５が形成されている。その他錠箱３に形成された水平案内部４５に係合する突起（省略）が中間部８ｂの左右の側壁に形成されている。
【００３１】
一方、前記カマ作動障害部材用押圧片１０は、トリガー本体８の後端部８ｃの切欠状支持部分１５に支持されるように可動軸９を介して該トリガー本体８に一体的に装着されている。この押圧片１０の先端部側１０ａは、切欠状支持部分１５に支持される部分であり、一方、後端部側１０ｂは、自動施錠時、カマ作動障害部材２１の第１係合片２４の後端部を押圧する反面、解錠時、前記第１係合片２４により押される部分でもある。１６は押圧片１０に形成された軸孔である。
【００３２】
押圧片用バネ１１は、一端部がトリガー本体８の後端部の切欠内面に、他端部が押圧片１０の凹所状内面にそれぞれ圧接し、該バネ１１で付勢されている押圧片１０は、常態では水平状態になっている。したがって、自動施錠時、トリガー部材７は後退動しても、押圧片１０は回転することなく、トリガー本体８と共にそのまま水平移動する。
【００３３】
（６）トリガー共働片１８
図６で示すように、トリガー共働片１８は、その基端部（実施例では下端部）が錠箱３に第１固定軸１９を介して軸支され、一方、係合端部（実施例では上端部）１８ａはカマ４０の先端部の被係合部４１に係脱する。このトリガー共働片１８は、本実施例では、トリガー部材７に対して交差状態に係合していると共に、第１固定軸１９に設けられたトリガー共働片用バネ２０で係合方向に常時付勢されている。
【００３４】
付言すると、トリガー共働片１８は、閉戸する際、トリガー７の先端面１２が戸枠体側（実施例ではストライク２）に当たる瞬間の第１段階では、カマ４０の被係合部４１に係合しており、トリガー７の後退動により、トリガー共働片１８が傾倒方向へ作動した第２段階では、その係合端部１８ａはカマ４０の被係合部４１から離れる。
【００３５】
（７）カマ作動障害部材
カマ作動障害部材２１は、第２固定軸２２を介して錠箱３に軸支されている。本実施例のカマ作動障害部材２１は、トリガー部材７と動力伝達手段３１を構成するラック部材３２との間に配設され、前記第２固定軸２２に巻装されたカマ作動障害部材用バネ２３により、前記ラック部材３２に係合する方向に常時付勢されている。
【００３６】
このカマ作動障害部材２１は、カマ４０に対するトリガー共働片１８の係止状態が解消した後の第３段階では、トリガー部材７を介して、動力伝達手段３１の作動を許容する方向へ回転する。付言すると、カマ４０を自動施錠する場合、カマ作動障害部材２１は、ラック部材３２の前面から、その障害子２５が下降して離れる。
【００３７】
しかして、本実施例のカマ作動障害部材２１は、施錠時にはトリガー部材７の押圧片１０に押される反面、解錠時には前記押圧片１０を押す第１係合片２４と、この第１係合片２４の一端部に設けられ、ラック部材３２が所定の位置（カマ解錠位置）へと移動した時に該ラック部材３２に係合する障害子２５とから成る。
【００３８】
上面弧状の障害子２５は、連結可動ピン２６を介して第１係合片２４の先端部に連結されている。そして、前記連結可動ピン２６は、錠箱３に形成された垂直案内部分に係合している。
【００３９】
図８を参照にして、カマ作動障害部材２１の具体的構成を説明する。２４は人差し指形状の第１係合片で、この第１係合片２４は、中央部の軸孔２４ａに挿入されかつ錠箱３に横設軸架された第２固定軸２２を介して軸支されている。
【００４０】
しかして、第１係合片２４の先端部には連結可動ピン２６用の連結孔２４ｂが形成され、一方、その後端部にはバネ２３の一端部を受けるピン状の突起２４ｃが設けられている。そして、前記バネ２３の他端部は、錠箱３に後壁付近に設けたバネ受けピン２７に支持されている。このバネ２３の強さは、押圧片用バネの強さを考慮して適宜に設定されている。
【００４１】
また、本実施例の障害子２５は、例えば下向きコ字形状に形成され、第１係合片２４に先端部に跨ぐように乗っかっている。そして、左右の対向側壁２５ａには連結可動ピン２６用の案内長孔２８が一対形成され、該案内長孔２８を介して第１係合片２４に先端部に多少可動できるように連結されている。さらに、前記左右の対向側壁２５ａの外面には、錠箱３に形成した垂直案内部分４６と係合する単数又は複数個（本実施例）の係合突起２９が設けられている。
【００４２】
（８）動力伝達手段３１
図６を参照にして、錠箱３に組み込まれた動力伝達手段３１を構成する各部材を簡単に説明する。３２は水平方向へ往復動するラック部材で、該ラック部材３２は、カマ自動施錠用の付勢バネ３３を備えている。付勢バネ３３は、本実施例では、ラック部材３２に組み込まれている。
【００４３】
３４はカマ４０を施・解錠方向へと回転させるための第１伝動歯車で、該第１伝動歯車部材３４は、ラック部材３２とカマ４０に係合する第２伝動歯車３５との間に介在している。第１伝動歯車部材３４の具体的構成については新規事項なので、ここでは特に図示しないが、例えば一芯軸３６を介して複数個併設されている。
【００４４】
しかして、第１伝動歯車部材３４は、例えば連結棒６９に直接回される回転板と、該回転板と周方向に余裕（例えば４５度）をもって係合可能であり、かつ、該回転板に追動する従動回転板と、該従動回転板によって回転し、かつ、ラッチと係合するピニオン（図面上、一番手前側に見える回転板）とから構成されている。第１伝動歯車部材３４の具体的構成は、単に新規情報を公開することになるので、本明細書では割愛する。
【００４５】
なお、連結棒６９に直接回される回転板には、半径方向に延びる連結部３７が設けられ、該連結部３７の取付け孔３８に連結棒６９の内端部が適宜に差し込まれている。それ故に、錠箱内のスペースを有効的に活用することができる。
【００４６】
（９）カマ４０
カマ４０は、幅広の基端部４０ａがカマ軸４７を介して軸支されている。また、カマ４０は不番の連係手段（ガイド長孔、伝動歯車３５の係合ピン）を介して回転自在となっている。その他必要に応じて不番のバネを設けている。カマ４０の先端部４０ｂの外面には、前述したように被係合部（切欠溝）４１が形成されている。
【００４７】
（１０）錠前の自動施錠機構
まず、図６、図９乃至図１１を参照にして、錠前の自動施錠機構の作用について説明する。
【００４８】
図６は「第１段階」である。この第１段階は、引戸Ｙ側のトリガー部材７の先端面１２が、戸枠体Ｘのストライク１に当たり始めた瞬間である。第１段階では、トリガー共働片１８がＯＮの状態である。したがって、カマ４０の先端部４０ｂは錠箱３内に位置している。また、ラック部材３２は付勢バネ３３に付勢されているものの、カマ作動障害片２１の障害子２５により、その移動が阻止されている。
【００４９】
次に、図９は「第２段階」である。この第２段階では、トリガー共働片１８が「ＯＦＦ」の状態となる。トリガー部材７が矢印Ｂ方向へ水平移動すると、トリガー共働片１８は第１固定軸１９を支点に回転するから傾倒状態となり、その係合端部１８ａがカマ４０の被係合部４１から離れる。この第２段階の後、或いは第２段階と同時に、トリガー部材７の押圧片１０はカマ作動障害部材２１の第１係合片２４の下端部を押圧し始める。この時、押圧片１０の先端部１０ａの下面はトリガー本体８の切欠状支持部分１５に支持されているから、反時計方向へ回転することができない。
【００５０】
したがって、押圧片１０はトリガー本体８と共にそのまま後退動する。そうすると、作動障害部材２１の第１係合片２４は、第２固定軸２２を支点に反時計方向へと回転することから、障害子２５は錠箱３の垂直案内部分４６に案内されて下降する。しかし、この第２段階では、まだラック部材３２は作動障害部材２１の障害子２５に阻止されている。
【００５１】
図１０は、「第２段階から第３段階に入った状態」である。カマ４０に対するトリガー共働片１８の係止状態が解消した後の第３段階では、カマ作動障害部材２１は、前記トリガー部材７を介して、動力伝達手段３１の作動を許容する方向へ回転する。
【００５２】
すなわち、第１係合片２４が反時計方向へ回転し続けると、矢印方向へ位置移動変位中の障害子２５の上部弧状面２５ｂがラック部材３２の下面３２ａに潜る込むことが可能な状態となる。
【００５３】
そこで、本実施例の第３段階では、前記障害子２５がラック部材３２の下面３２ａに入り込み、その結果、ラック部材３２が付勢バネ３３のバネ力により矢印方向へ移動し始める。
【００５４】
図１１は、ラック部材３２が前進した結果、カマ４０が複数個の伝動歯車部材３４、３５を介して施錠方向へ回転し、自動施錠の状態になったことを示す。
【００５５】
（１１）錠前のハンドル操作による解錠機構
図１２は、ハンドル５１の握り部分を操作することにより、その操作力に起因して錠前の各構成部材が解錠方向へ作動して解錠状態になった説明図である。ハンドル５１を引き上げると、連結棒６９は錠箱３の弧状案内部分７１に案内されて位置変位する。本実施例では、握り部分を引き上げると、連結棒６９の位置は上方方向へ変位する。
【００５６】
ハンドル５１の操作により、図１１の施錠状態から図１２の解錠状態にする場合、カマ作動障害部材２１の第１係合片２４の後端部は、トリガー部材７の押圧片１０を押し付ける必要があることから、押圧片１０はバネ１１のバネ力に抗して時計方向へと自動的に回転している。したがって、押圧片用のバネ１１のバネ力は、障害片用のバネ２３のそれよりも「弱く」設定する必要がある。
【００５７】
したがって、ハンドル操作による解錠の際には、位置が錠箱内に後退変位しているトリガー部材７の押圧片１０がラック部材３２の後退動に基づき、初期位置へと復帰するカマ作動障害部材２１に押されて回転する
なお、本実施例では、サムターン側の操作によっても錠前５０を解錠状態にすることができる。
【実施例】
【００５８】
本発明の前記連結棒６９は、第２伝動歯車３５側に設けることもできる。要は、サムターンユニット５７に直接設けなければ良い。
【産業上の利用可能性】
【００５９】
本発明は、主に錠前や建具の業界で利用される。
【図面の簡単な説明】
【００６０】
図１乃至図１２は本発明の最良の実施例を示す各説明図。
【図１】本発明の環境状態を示す概略説明図（室内側から見ている）。
【図２】ハンドルの初期位置における取付け座内の動力伝達機構を左側面側から見た説明図。
【図３】取付け座内の構成を示す概略説明図（初期位置の状態）。
【図４】取付け座内の構成を示す概略説明図（ハンドルを操作した状態）。
【図５】錠箱の主要部分の概略説明図。
【図６】本発明の適用対象の錠前の一例を示す概略断面説明図（第１段階）。
【図７】トリガー部材の分解斜視図。
【図８】カマ作動障害部材の分解斜視図。
【図９】第２段階の概略説明図。
【図１０】図９に於いて、第３段階に突入した概略説明図。
【図１１】自動施錠状態の概略説明図。
【図１２】ハンドル操作により、解錠状態になった場合の概略説明図。
【符号の説明】
【００６１】
Ｘ…戸枠体、Ｙ…ドア（引戸）、３…錠箱、７…トリガー部材、８…トリガー本体、９…可動軸、１０…押圧片、１１…押圧片用バネ、１２…トリガー部材の先端面、１８…トリガー共働片、１８ａ…トリガー共働片の係合端部、１９…第１固定軸、２０…トリガー共働片用バネ、２１…カマ作動障害部材、２３…障害片用バネ、２４…第１係合片、２５…障害子、３１…動力伝達手段、３２…ラック部材、３３…カマ自動施錠用の付勢バネ、３４…錠箱側の伝動歯車部材、３７…連結部分、４０…施錠片（カマ）、４１…被係合部、５０…錠前、５１…ハンドル、５２…取付け座、５３…取付け座内の動力伝達機構、５４…内壁、５５…貫通孔、５６…ハンドル回転軸、５７…サムターンユニット、６１…伝動歯車部材、６２…角軸孔、６３…切欠部分、６４…伝動ギヤー部、６５…復帰バネ、６６…遊び歯車、６７…駆動歯車部材、６９…連結棒、７１…弧状案内部分。
【図１】
2007205056.tif 000003
【図２】
2007205056.tif 000004
【図３】
2007205056.tif 000005
【図４】
2007205056.tif 000006
【図５】
2007205056.tif 000007
【図６】
2007205056.tif 000008
【図７】
2007205056.tif 000009
【図８】
2007205056.tif 000010
【図９】
2007205056.tif 000011
【図１０】
2007205056.tif 000012
【図１１】
2007205056.tif 000013
【図１２】
2007205056.tif 000014